(57)【要約】  本発明は、それぞれの評価者がどの位置の情報を評価しているかを、評価者以外の人に容易に認識させることができる位置依存情報表現システムを提供することを目的とし、制御装置８００が、評価者の指示に従って、指定された領域の地図またはレイアウト図を地図／レイアウト図表示手段１００に表示させ、評価者の指示に従って、表示させた地図またはレイアウト図の表示範囲内で、評価者によって指定された位置である評価点を指定する。情報取得手段３００が、評価点の情報を示す情報データを取得する。情報表現部４００が、情報データを表現する。制御装置８００に接続されたＩＤ受信手段２２０と情報表現部４００とは、評価点と情報表現部４００との対応が視覚的に認識可能なように、通信媒体５００によって接続され、情報取得手段３００は、取得した情報データを情報表現部４００に送信する。
2008066093.tif 000002
【特許請求の範囲】
【請求項１】
位置に応じた情報を表現するための位置依存情報表現システムにおいて、
評価者の指示に従って、指定された領域の地図またはレイアウト図を表示手段に表示させ、評価者の指示に従って、前記表示手段に表示させた前記地図またはレイアウト図の表示範囲内で、評価者によって指定された位置である評価点を指定する制御手段と、
前記評価点の情報を示す情報データを取得する情報取得手段と、
前記情報データを表現する位置依存情報表現手段と、を備え、
前記制御手段と前記位置依存情報表現手段とは、前記評価点と前記位置依存情報表現手段との対応が視覚的に認識可能なように、通信媒体によって接続され、
前記情報取得手段は、取得した情報データを前記位置依存情報表現手段に送信する、ことを特徴とする位置依存情報表現システム。
【請求項２】
前記位置依存情報表現手段は、他の位置依存情報表現手段と区別するための表現手段ＩＤを制御手段に送信する表現手段ＩＤ送信手段を含み、
前記表現手段ＩＤ送信手段は、前記表現手段ＩＤを前記通信媒体を介して前記制御手段に送信し、
前記情報取得手段は、取得した情報データと、前記制御手段が受信した表現手段ＩＤとを前記位置依存情報表現手段に送信し、
前記位置依存情報表現手段は、送信された表現手段ＩＤと自身の表現手段ＩＤとが合致する場合に、送信された前記情報データを表現する、請求項１記載の位置依存情報表現システム。
【請求項３】
前記情報取得手段は、取得した情報データを前記通信媒体を介して位置依存情報表現手段に送信する、請求項１記載の位置依存情報表現システム。
【請求項４】
前記通信媒体は、前記位置依存情報表現手段から前記評価点を経由して前記制御手段に接続され、前記位置依存情報表現手段から前記評価点までの間が、視覚的に認識可能である、請求項１から請求項３のうちいずれか１項記載の位置依存情報表現システム。
【請求項５】
位置に応じた情報を表現するための位置依存情報表現システムにおいて、
評価者の指示に従って、指定された領域の地図またはレイアウト図を表示手段に表示させ、評価者の指示に従って、前記表示手段に表示させた前記地図またはレイアウト図の表示範囲内で、評価者によって指定された位置である評価点を指定する制御手段と、
前記評価点の情報を示す情報データを取得する情報取得手段と、
前記情報データを表現する位置依存情報表現手段と、を備え、
前記位置依存情報表現手段は、他の位置依存情報表現手段と区別するための表現手段ＩＤを制御手段に送信する表現手段ＩＤ送信手段を含み、
前記表現手段ＩＤ送信手段は、表現手段ＩＤを前記制御手段に送信し、
前記情報取得手段は、取得した情報データと、前記制御手段に送信された表現手段ＩＤとを前記位置依存情報表現手段に送信し、
前記位置依存情報表現手段は、送信された表現手段ＩＤと自身の表現手段ＩＤとが合致する場合に、送信された前記情報データを表現する、ことを特徴とする位置依存情報表現システム。
【請求項６】
前記表現手段ＩＤ送信手段が送信した表現手段ＩＤを受信する表現手段ＩＤ受信手段を備え、
前記位置依存情報表現手段は、自身の表現手段ＩＤに応じた文字または色を表示するＩＤ表示手段を含み、
前記制御手段は、前記表現手段ＩＤ受信手段が受信した表現手段ＩＤに応じた文字または色であって、前記ＩＤ表示手段が表示している文字または色と同様な文字または色を前記表示手段に表示させる、請求項５記載の位置依存情報表現システム。
【請求項７】
前記ＩＤ表示手段は、前記表現手段ＩＤ送信手段における表現手段ＩＤの送信処理が終了したときに自身の表現手段ＩＤに応じた文字または色の表示を開始し、
前記制御手段は、前記表現手段ＩＤ受信手段における表現手段ＩＤの受信処理が終了したときに文字または色を前記表示手段に表示させる、請求項６記載の位置依存情報表現システム。
【請求項８】
位置に応じた情報を表現するための位置依存情報表現システムにおいて、
評価者の指示に従って、指定された領域の地図またはレイアウト図を表示手段に表示させ、評価者の指示に従って、前記表示手段に表示させた前記地図またはレイアウト図の表示範囲内で、評価者によって指定された位置である評価点を指定する制御手段と、
評価者の指示に従って、評価点を識別する評価点ＩＤを指定する評価点ＩＤ指定手段と、
前記評価点の情報を示す情報データを取得する情報取得手段と、
前記情報データを表現する位置依存情報表現手段と、を備え、
前記情報取得手段は、取得した情報データと、前記評価点ＩＤ指定手段が指定した評価点ＩＤとを前記位置依存情報表現手段に送信し、
前記位置依存情報表現手段は、評価者の指示に従って、他の位置依存情報表現手段と区別するための表現手段ＩＤを選択するＩＤ選択手段を含み、送信された評価点ＩＤと前記ＩＤ選択手段が選択した表現手段ＩＤとが合致する場合に、送信された前記情報データを表現する、ことを特徴とする位置依存情報表現システム。
【請求項９】
前記位置依存情報表現手段は、前記ＩＤ選択手段が選択した表現手段ＩＤに応じた文字または色を表示するＩＤ表示手段を含み、
前記制御手段は、前記評価点ＩＤ指定手段が指定した評価点ＩＤに応じた文字または色であって、前記ＩＤ表示手段が表示している文字または色と同様な文字または色を前記表示手段に表示させる、請求項８記載の位置依存情報表現システム。
【請求項１０】
前記ＩＤ表示手段は、前記位置依存情報表現手段の動作状況に応じて文字または色を点滅して表示し、
前記制御手段は、前記位置依存情報表現手段の動作状況に応じて文字または色を点滅させて前記表示手段に表示させる、請求項６、請求項７、または請求項９記載の位置依存情報表現システム。
【請求項１１】
前記ＩＤ表示手段は、表現する情報データに応じて文字または色を点滅して表示し、
前記制御手段は、位置依存情報表現手段が表現する情報データに応じて文字または色を点滅させて表示手段に表示させる、請求項６、請求項７、請求項９、または請求項１０記載の位置依存情報表現システム。
【請求項１２】
前記制御手段は、前記表示手段の上に置かれることで評価点を指示するタンジブルデバイスから評価点を示す情報を受信し、受信した前記情報にもとづいて評価点を指定する、請求項１から請求項１１のうちいずれか１項記載の位置依存情報表現システム。
【請求項１３】
複数の位置依存情報表現手段を備え、
各位置依存情報表現手段は、送信された評価点ＩＤと評価者の指示に従ってＩＤ選択手段が選択した表現手段ＩＤとが合致する場合に、送信された情報データを表現する、請求項１から請求項１２のうちいずれか１項記載の位置依存情報表現システム。
【請求項１４】
位置に応じた情報を表現するための位置依存情報表現制御装置において、
評価者の指示に従って、指定された領域の地図またはレイアウト図を表示手段に表示させ、評価者の指示に従って、前記表示手段に表示させた前記地図またはレイアウト図の表示範囲内で、評価者によって指定された位置である評価点を指定し、情報データを表現する位置依存情報表現手段に接続された制御手段と、
前記評価点の情報を示す情報データを取得する情報取得手段と、を備え、
前記制御手段は、前記評価点と前記位置依存情報表現手段との対応が視覚的に認識可能なように、通信媒体によって前記位置依存情報表現手段に接続され、
前記情報取得手段は、取得した情報データを前記位置依存情報表現手段に送信する、ことを特徴とする位置依存情報表現制御装置。
【請求項１５】
前記制御手段は、前記位置依存情報表現手段から、他の位置依存情報表現手段と区別するための表現手段ＩＤを前記通信媒体を介して受信し、
前記情報取得手段は、取得した情報データと、前記制御手段が受信した表現手段ＩＤとを前記位置依存情報表現手段に送信する、請求項１４記載の位置依存情報表現装置。
【請求項１６】
前記情報取得手段は、取得した情報データを前記通信媒体を介して前記位置依存情報表現手段に送信する、請求項１４記載の位置依存情報表現制御装置。
【請求項１７】
前記通信媒体は、前記位置依存情報表現手段から評価点を経由して前記制御手段に接続され、前記位置依存情報表現手段から評価点までの間が、視覚的に認識可能である、請求項１４から請求項１６のうちいずれか１項記載の位置依存情報表現装置。
【請求項１８】
位置に応じた情報を表現するための位置依存情報表現制御装置において、
評価者の指示に従って、指定された領域の地図またはレイアウト図を表示手段に表示させ、評価者の指示に従って、前記表示手段に表示させた前記地図またはレイアウト図の表示範囲内で、評価者によって指定された位置である評価点を指定し、情報データを表現する位置依存情報表現手段に接続された制御手段と、
前記評価点の情報を示す情報データを取得する情報取得手段と、
位置依存情報表現手段を他の位置依存情報表現手段と区別するための表現手段ＩＤを前記位置依存情報表現手段から受信する表現手段ＩＤ受信手段を備え、
前記情報取得手段は、取得した情報データと、前記表現手段ＩＤ受信手段が受信した表現手段ＩＤとを前記位置依存情報表現手段に送信する、ことを特徴とする位置依存情報表現制御装置。
【請求項１９】
前記制御手段は、前記表現手段ＩＤ受信手段が受信した表現手段ＩＤに応じた文字または色であって、前記位置依存情報表現手段が表示している文字または色と同様な文字または色を前記表示手段に表示させる、請求項１８記載の位置依存情報表現制御装置。
【請求項２０】
前記制御手段は、前記表現手段ＩＤ受信手段における表現手段ＩＤの受信処理が終了したときに文字または色を表示手段に表示させる、請求項１９記載の位置依存情報表現制御装置。
【請求項２１】
位置に応じた情報を表現するための位置依存情報表現制御装置において、
評価者の指示に従って、指定された領域の地図またはレイアウト図を表示手段に表示させ、評価者の指示に従って、前記表示手段に表示させた前記地図またはレイアウト図の表示範囲内で、評価者によって指定された位置である評価点を指定する制御手段と、
評価者の指示に従って、評価点を識別する評価点ＩＤを指定する評価点ＩＤ指定手段と、
前記評価点の情報を示す情報データを取得する情報取得手段と、を備え、
前記情報取得手段は、取得した情報データと、前記評価点ＩＤ指定手段が指定した評価点ＩＤとを情報データを表現する位置依存情報表現手段に送信する、ことを特徴とする位置依存情報表現制御装置。
【請求項２２】
前記制御手段は、前記評価点ＩＤ指定手段が指定した評価点ＩＤに応じた文字または色であって、前記位置依存情報表現手段が表示している文字または色と同様な文字または色を前記表示手段に表示させる、請求項２１記載の位置依存情報表現制御装置。
【請求項２３】
前記制御手段は、前記位置依存情報表現手段の動作状況に応じて文字または色を点滅させて前記表示手段に表示させる、請求項１９、請求項２０、または請求項２２記載の位置依存情報表現制御装置。
【請求項２４】
前記制御手段は、前記位置依存情報表現手段が表現する情報データに応じて文字または色を点滅させて前記表示手段に表示させる、請求項１９、請求項２０、請求項２２、または請求項２３記載の位置依存情報表現制御装置。
【請求項２５】
前記制御手段は、前記表示手段の上に置かれることで評価点を指示するタンジブルデバイスから評価点を示す情報を受信して、受信した前記情報にもとづいて評価点を指定する、請求項１４から請求項２４のうちいずれか１項記載の位置依存情報表現制御装置。
【請求項２６】
前記情報取得手段または前記制御手段は、複数の位置依存情報表現手段にそれぞれ情報データを送信する、請求項１４から請求項２５のうちいずれか１項記載の位置依存情報表現制御装置。
【請求項２７】
位置に応じた情報を表現するための位置依存情報表現方法において、
評価者の指示に従って、指定された領域の地図またはレイアウト図を表示手段に表示させ、評価者の指示に従って、前記表示手段に表示させた前記地図またはレイアウト図の表示範囲内で、評価者によって指定された位置である評価点を指定する制御ステップと、
前記評価点の情報を示す情報データを取得する情報取得ステップと、
位置依存情報表現手段が、前記情報データを表現する情報表現ステップと、を備え、
前記情報取得ステップで取得した情報データを前記位置依存情報表現手段に送信する、ことを特徴とする位置依存情報表現方法。
【請求項２８】
位置に応じた情報を表現するための位置依存情報表現方法において、
評価者の指示に従って、指定された領域の地図またはレイアウト図を表示手段に表示させ、評価者の指示に従って、前記表示手段に表示させた前記地図またはレイアウト図の表示範囲内で、評価者によって指定された位置である評価点を指定する制御ステップと、
位置依存情報表現手段が、他の位置依存情報表現手段と区別するための表現手段ＩＤを制御手段に送信する表現手段ＩＤ送信ステップと、
前記評価点の情報を示す情報データを取得する情報取得ステップと、
前記位置依存情報表現手段が、前記情報データを表現する情報表現ステップと、を備え、
前記情報取得ステップで、取得した情報データと、前記制御手段が受信した表現手段ＩＤとを前記位置依存情報表現手段に送信し、
前記情報表現ステップで、前記位置依存情報表現手段が、送信された表現手段ＩＤと自身の表現手段ＩＤとが合致する場合に、送信された前記情報データを表現する、ことを特徴とする位置依存情報表現方法。
【請求項２９】
位置に応じた情報を表現するための位置依存情報表現方法において、
評価者の指示に従って、指定された領域の地図またはレイアウト図を表示手段に表示させ、評価者の指示に従って、前記表示手段に表示させた前記地図またはレイアウト図の表示範囲内で、評価者によって指定された位置である評価点を指定する制御ステップと、
前記評価点の情報を示す情報データを取得する情報取得ステップと、
位置依存情報表現手段が、前記情報データを表現する情報表現ステップと、を備え、
前記制御ステップで、評価者の指示に従って、評価点を識別する評価点ＩＤを指定し、
前記情報取得ステップで、取得した情報データと前記制御ステップで指定した評価点ＩＤとを前記位置依存情報表現手段に送信し、
前記情報表現ステップで、評価者の指示に従って、他の位置依存情報表現手段と区別するための表現手段ＩＤを選択し、送信された評価点ＩＤと前記ＩＤ選択ステップで選択した表現手段ＩＤとが合致する場合に、送信された前記情報データを表現する、ことを特徴とする位置依存情報表現方法。
【発明の詳細な説明】
【技術分野】
【０００１】
本発明は、位置に応じた情報を表現するための位置依存情報表現システム、位置依存情報表現制御装置、および位置依存情報表現方法であって、表示された地図またはレイアウト図上で、複数の評価者が、同時に別々の位置を指定して情報を表現させることができる位置依存情報表現システム、位置依存情報表現制御装置および位置依存情報表現方法に関する。
【背景技術】
【０００２】
無線通信システムの通信ネットワークの設備計画や設計においては、対処すべき問題エリアを特定するため、または設備や設計条件の変更による効果を検証するため、評価システムおよび装置を用いて現状の特性情報を評価する必要がある。【０００３】
無線通信システムの特性情報としては、電波強度、遅延拡がり、ユーザ体感品質などさまざまなものが挙げられるが、これらはいずれも移動端末の位置に依存して（応じて）変わる。そのため、各位置での特性情報を、屋外であれば地図上に、屋内であればレイアウト図上に対応付けて表現する形態が好ましい。【０００４】
このような位置依存の情報を地図やレイアウト図上で表現する手法としては、マウス等により地図やレイアウト図上での位置を指定することにより、当該位置依存情報を表示するという形態があった。例えば、インターネット上で航空写真を閲覧することができるＷｅｂサイト「Ｇｏｏｇｌｅ（登録商標）  Ｅａｒｔｈ」では、マウスポインタで位置を指定することにより、当該位置の緯度、経度および標高の情報を画面の端に表示する形態になっている。【０００５】
なお、ポインタが指定する位置に、ポインタを示す画像を画面表示する技術が、特開２００５−２６７５００号公報に記載されている。
【発明の開示】
【発明が解決しようとする課題】
【０００６】
マウスで指定された位置の情報を表現する形態においては、自ら位置の指定を行った評価者自身は、指定した位置がどこであるかを容易に認識することができるが、同一の画面を見ている評価者以外の人は、評価者によって指定された位置を認識するためには、画面内にあるマウスポインタを探す必要があった。特に、複数の評価者が同時に情報評価を行う場合、それぞれの評価者に対して個別のマウスポインタと、当該マウスポインタにおける情報の表示部とを準備することになるが、評価者以外の人はどの表示部がどのマウスポインタに対応しているのかを判別することが困難である。【０００７】
例えば、大画面ディスプレイに表示された地図を用いて、複数の人間が通信ネットワークの設備計画や設計を共同で行う状況を想定する。このような状況では、複数の評価者が評価者自身の観点から評価点を抽出し、それぞれ異なる位置の特性情報を同時に評価する場合が考えられる。複数人での特性情報評価を上述した手法を用いて実施する場合、それぞれの評価者がどの位置の特性情報を評価しているかの判別が困難であった。その結果、設備計画や設計に参加しているメンバーの間での問題点の共有や、設備や設計条件の変更による効果の共有をスムーズに行うことができなかった。【０００８】
そこで、本発明は、それぞれの評価者がどの位置の情報を評価しているかを、評価者以外の人に容易に認識させることができる位置依存情報表現システム、位置依存情報表現制御装置、および位置依存情報表現方法を提供することを目的とする。
【課題を解決するための手段】
【０００９】
本発明による位置依存情報表現システムは、位置に応じた情報を表現するための位置依存情報表現システムであって、評価者の指示に従って、指定された領域の地図またはレイアウト図を表示手段に表示させ、評価者の指示に従って、表示手段に表示させた地図またはレイアウト図の表示範囲内で、評価者によって指定された位置である評価点を指定する制御手段と、評価点の情報を示す情報データを取得する情報取得手段と、情報データを表現する位置依存情報表現手段とを備え、制御手段と位置依存情報表現手段とは、評価点と位置依存情報表現手段との対応が視覚的に認識可能なように、通信媒体によって接続され、情報取得手段は、取得した情報データを位置依存情報表現手段に送信する。【００１０】
また、本発明による位置依存情報表現システムは、位置に応じた情報を表現するための位置依存情報表現システムであって、評価者の指示に従って、指定された領域の地図またはレイアウト図を表示手段に表示させ、評価者の指示に従って、表示手段に表示させた地図またはレイアウト図の表示範囲内で、評価者によって指定された位置である評価点を指定する制御手段と、評価点の情報を示す情報データを取得する情報取得手段と、情報データを表現する位置依存情報表現手段とを備え、位置依存情報表現手段は、他の位置依存情報表現手段と区別するための表現手段ＩＤを制御手段に送信する表現手段ＩＤ送信手段を含み、表現手段ＩＤ送信手段は、表現手段ＩＤを制御手段に送信し、情報取得手段は、取得した情報データと、制御手段に送信された表現手段ＩＤとを位置依存情報表現手段に送信し、位置依存情報表現手段は、送信された表現手段ＩＤと自身の表現手段ＩＤとが合致する場合に、送信された情報データを表現する。【００１１】
また、本発明による位置依存情報表現システムは、位置に応じた情報を表現するための位置依存情報表現システムであって、評価者の指示に従って、指定された領域の地図またはレイアウト図を表示手段に表示させ、評価者の指示に従って、表示手段に表示させた地図またはレイアウト図の表示範囲内で、評価者によって指定された位置である評価点を指定する制御手段と、評価者の指示に従って、評価点を識別する評価点ＩＤを指定する評価点ＩＤ指定手段と、評価点の情報を示す情報データを取得する情報取得手段と、情報データを表現する位置依存情報表現手段と、を備え、情報取得手段は、取得した情報データと、評価点ＩＤ指定手段が指定した評価点ＩＤとを位置依存情報表現手段に送信し、位置依存情報表現手段は、評価者の指示に従って、他の位置依存情報表現手段と区別するための表現手段ＩＤを選択するＩＤ選択手段を含み、送信された評価点ＩＤとＩＤ選択手段が選択した表現手段ＩＤとが合致する場合に、送信された情報データを表現する。【００１２】
本発明による位置依存情報表現制御装置は、位置に応じた情報を表現するための位置依存情報表現制御装置であって、評価者の指示に従って、指定された領域の地図またはレイアウト図を表示手段に表示させ、評価者の指示に従って、表示手段に表示させた地図またはレイアウト図の表示範囲内で、評価者によって指定された位置である評価点を指定し、情報データを表現する位置依存情報表現手段に接続された制御手段と、評価点の情報を示す情報データを取得する情報取得手段とを備え、制御手段は、評価点と位置依存情報表現手段との対応が視覚的に認識可能なように、通信媒体によって位置依存情報表現手段に接続され、情報取得手段は、取得した情報データを位置依存情報表現手段に送信する。【００１３】
また、本発明による位置依存情報表現制御装置は、位置に応じた情報を表現するための位置依存情報表現制御装置であって、評価者の指示に従って、指定された領域の地図またはレイアウト図を表示手段に表示させ、評価者の指示に従って、表示手段に表示させた地図またはレイアウト図の表示範囲内で、評価者によって指定された位置である評価点を指定し、情報データを表現する位置依存情報表現手段に接続された制御手段と、評価点の情報を示す情報データを取得する情報取得手段と、位置依存情報表現手段を他の位置依存情報表現手段と区別するための表現手段ＩＤを位置依存情報表現手段から受信する表現手段ＩＤ受信手段を備え、情報取得手段は、取得した情報データと、表現手段ＩＤ受信手段が受信した表現手段ＩＤとを位置依存情報表現手段に送信する。【００１４】
また、本発明による位置依存情報表現制御装置は、位置に応じた情報を表現するための位置依存情報表現制御装置であって、評価者の指示に従って、指定された領域の地図またはレイアウト図を表示手段に表示させ、評価者の指示に従って、表示手段に表示させた地図またはレイアウト図の表示範囲内で、評価者によって指定された位置である評価点を指定する制御手段と、評価者の指示に従って、評価点を識別する評価点ＩＤを指定する評価点ＩＤ指定手段と、評価点の情報を示す情報データを取得する情報取得手段とを備え、情報取得手段は、取得した情報データと、評価点ＩＤ指定手段が指定した評価点ＩＤとを情報データを表現する位置依存情報表現手段に送信する。【００１５】
本発明による位置依存情報表現方法は、位置に応じた情報を表現するための位置依存情報表現方法であって、評価者の指示に従って、指定された領域の地図またはレイアウト図を表示手段に表示させ、評価者の指示に従って、表示手段に表示させた地図またはレイアウト図の表示範囲内で、評価者によって指定された位置である評価点を指定する制御ステップと、評価点の情報を示す情報データを取得する情報取得ステップと、位置依存情報表現手段が、情報データを表現する情報表現ステップとを備え、情報取得ステップで、取得した情報データを位置依存情報表現手段に送信する。【００１６】
また、本発明による位置依存情報表現方法は、位置に応じた情報を表現するための位置依存情報表現方法であって、評価者の指示に従って、指定された領域の地図またはレイアウト図を表示手段に表示させ、評価者の指示に従って、表示手段に表示させた地図またはレイアウト図の表示範囲内で、評価者によって指定された位置である評価点を指定する制御ステップと、位置依存情報表現手段が、他の位置依存情報表現手段と区別するための表現手段ＩＤを制御手段に送信する表現手段ＩＤ送信ステップと、評価点の情報を示す情報データを取得する情報取得ステップと、位置依存情報表現手段が、情報データを表現する情報表現ステップとを備え、情報取得ステップで、取得した情報データと、制御手段が受信した表現手段ＩＤとを位置依存情報表現手段に送信し、情報表現ステップで、位置依存情報表現手段が、送信された表現手段ＩＤと自身の表現手段ＩＤとが合致する場合に、送信された情報データを表現することを特徴とする。【００１７】
また、本発明による位置依存情報表現方法は、位置に応じた情報を表現するための位置依存情報表現方法であって、評価者の指示に従って、指定された領域の地図またはレイアウト図を表示手段に表示させ、評価者の指示に従って、表示手段に表示させた地図またはレイアウト図の表示範囲内で、評価者によって指定された位置である評価点を指定する制御ステップと、評価点の情報を示す情報データを取得する情報取得ステップと、位置依存情報表現手段が、情報データを表現する情報表現ステップとを備え、制御ステップで、評価者の指示に従って、評価点を識別する評価点ＩＤを指定し、情報取得ステップで、取得した情報データと制御ステップで指定した評価点ＩＤとを位置依存情報表現手段に送信し、情報表現ステップで、評価者の指示に従って、他の位置依存情報表現手段と区別するための表現手段ＩＤを選択し、送信された評価点ＩＤとＩＤ選択ステップで選択した表現手段ＩＤとが合致する場合に、送信された情報データを表現する。【００１８】
本発明によれば、制御手段と位置依存情報表現手段とが評価点と位置依存情報表現手段との対応が視覚的に認識可能なように通信媒体によって接続され、通信媒体を介して情報データが送信された位置依存情報表現手段のみが当該情報を表現するので、それぞれの評価者がどの位置の情報を評価しているかを、評価者以外の人に容易に認識させることが可能になる。その結果、大きなディスプレイ上に表示された地図を用いて、複数の人間がネットワークの設備計画や設計を共同で行うといった状況において、設備計画や設計に参加しているメンバーの間での問題点の共有や、設備や設計条件の変更による効果の共有をスムーズに行うことが可能になる。
【図面の簡単な説明】
【００１９】
【図１】位置依存情報表現システムの第１の実施の形態の構成を示すブロック図である。
【図２】位置依存情報表現システムの第１の実施の形態の動作を示すフローチャートである。
【図３】複数の評価者が同時に異なる評価点の情報評価を行う場合の位置依存情報表現システムの構成例を示すブロック図である。
【図４】位置依存情報表現システムの第２の実施の形態の構成を示すブロック図である。
【図５】位置依存情報表現システムの第２の実施の形態の動作を示すフローチャートである。
【図６】位置依存情報表現システムの第３の実施の形態の構成を示すブロック図である。
【図７】位置依存情報表現システムの第３の実施の形態の動作を示すフローチャートである。
【図８】位置依存情報表現システムの第４の実施の形態の構成を示すブロック図である。
【図９】位置依存情報表現システムの第４の実施の形態の動作を示すフローチャートである。
【図１０】位置依存情報表現システムの第５の実施の形態の構成を示すブロック図である。
【図１１】位置依存情報表現システムの第５の実施の形態の動作を示すフローチャートである。
【発明を実施するための最良の形態】
【００２０】
（実施形態１）
本発明の第１の実施の形態について、図面を参照して説明する。図１は、本発明による位置依存情報表現システムの第１の実施の形態の構成を示すブロック図である。図１に示すように、第１の実施の形態の位置依存情報表現システムは、接続された地図／レイアウト図表示手段（表示手段）１００、評価点指定手段２１０、およびＩＤ受信手段２２０を制御する制御装置（制御手段）８００と、情報取得手段３００と、情報表現部（位置依存情報表現手段）４００とを含む。なお、ＩＤ受信手段２２０と情報表現部４００とは、通信媒体５００を介して接続される。【００２１】
地図／レイアウト図表示手段１００は、評価者によって操作される制御装置８００の制御に従って、地図データまたはレイアウト図データが格納された地図／レイアウト図ＤＢ（図示せず）から抽出された地図データまたはレイアウト図データにもとづいて、指定された領域の地図またはレイアウト図を表示する機能を有する。【００２２】
地図／レイアウト図表示手段１００は、例えば、タッチパネルや、ＣＲＴ（Ｃａｔｈｏｄｅ  Ｒａｙ  Ｔｕｂｅ）ディスプレイやＴＦＴ（Ｔｈｉｎ  Ｆｉｌｍ  Ｔｒａｎｓｉｓｔｏｒ）液晶ディスプレイなどのモニタ、プロジェクタによって地図またはレイアウト図が投影されるスクリーンやテーブル等である。【００２３】
評価点指定手段２１０は、地図／レイアウト図表示手段１００に表示されている地図またはレイアウト図の範囲内で、評価者に通信品質などの位置依存情報を評価される位置（評価点）を指定する機能を有する。なお、以下、制御装置８００が、評価点指定手段２１０になされた操作に従って、評価点を指定することも、評価点指定手段２１０が評価点を指定すると記す。ここで、制御装置８００は、なされた操作に従って評価点指定手段２１０が出力した信号にもとづいて評価点を指定してもよい。【００２４】
また、制御装置８００は、指定した評価点を示す位置データを生成したり、位置に対応付けられ、当該位置を示す位置データが格納されているデータベースから位置データを取得したりして、位置データを情報取得手段３００に送信する。【００２５】
ＩＤ受信手段２２０は、情報表現部４００のＩＤ送信手段４２０から送信された情報表現部４００を識別するためのＩＤを通信媒体５００を介して受信する機能を有する。【００２６】
なお、評価点指定手段２１０は、例えば、地図／レイアウト図表示手段１００の上に置かれた位置を評価点として指定することができるタンジブルデバイスである。そして、そのタンジブルデバイスが、情報表現部４００のＩＤ送信手段４２０から送信された情報表現部を識別するためのＩＤを通信媒体５００を介して受信する機能を有していてもよい。つまり、評価点指定手段２１０およびＩＤ受信手段２２０は、タンジブルデバイスであってもよい。あるいは、評価点指定手段２１０のみがタンジブルデバイスであり、ＩＤ受信手段２２０はタンジブルデバイスとは別の場所にあってもよい。【００２７】
また、地図／レイアウト図表示手段１００がタッチパネルである場合には、タッチパネルに触れる評価者の指先に対応する位置に設けられ、評価者に触れられたことを検出するセンサが評価点指定手段２１０としての役割を果たす。【００２８】
情報取得手段３００は、評価点指定手段２１０が指定した評価点を示す位置データにもとづいて、当該評価点における情報データを取得する機能を有する。また、取得した情報データをＩＤ受信手段２２０が受信したＩＤと共に情報表現部４００へ送付する機能を有する。【００２９】
情報取得手段３００が情報データを取得する方法について説明する。情報データが場所に対応付けて格納されているデータベースを設け、情報取得手段３００が、評価点指定手段２１０で指定された位置に応じた情報データを当該データベースから抽出して、情報データを取得する方法がある。【００３０】
また、情報データを算出可能な場合には、情報取得手段３００は、評価点指定手段２１０で指定された評価点にもとづいて計算を行い、当該評価点における情報データを算出して、情報データを取得する方法がある。具体的には、例えば、情報データが、無線通信システムにおける信号受信電力を示す場合に、情報取得手段３００が、指定された評価点の近傍に設置されている基地局のデータと、当該評価点を含む領域の地図データあるいはレイアウトデータとにもとづいて、電波シミュレーションの計算を行って、当該評価点における信号受信電力を算出して、情報データを取得する。【００３１】
また、情報取得手段３００が、評価点指定手段２１０で指定された評価点に応じた装置であって、通信ネットワークを介して接続されている装置から情報データをダウンロードしてもよい。具体的には、例えば、監視カメラの制御システムにおいて、情報取得手段３００は、指定された評価点に設置され、通信ネットワークを介して情報取得手段３００に接続されている監視カメラが撮影した映像をダウンロードする。【００３２】
情報表現部４００は、情報表現手段４１０およびＩＤ送信手段（表現手段ＩＤ送信手段）４２０を含む。情報表現手段４１０は、情報取得手段３００から送付されたＩＤが、自身のＩＤと合致する場合に、情報取得手段３００が取得した情報データを表現する機能を有する。情報データを表現するとは、情報データが音声データである場合に当該音声データを復号して音声を出力することや、情報データが画像データである場合に当該画像データを復号して画像を表示すること等をいう。【００３３】
ＩＤ送信手段４２０は、情報表現部４００のＩＤを通信媒体５００を介してＩＤ受信手段２２０へ送信する機能を有する。【００３４】
情報表現部４００は、音声通信や映像通信におけるユーザ体感品質を主観評価する場合には、例えば、情報データとしての音声データや映像データを再生する機器である。この機器の内部に、ＩＤ送信手段４２０が格納される。なお、情報表現部４００が携帯電話機である場合、情報表現手段４１０は、映像データを再生する場合には、例えば、表示部（液晶ディスプレイ等）であり、音声データを再生する場合には、例えば、音声出力部（スピーカ等）である。【００３５】
通信媒体５００は、ＩＤ受信手段２２０と、情報表現部４００に格納されているＩＤ送信手段４２０とに接続され、ＩＤ送信手段４２０から送信されたＩＤをＩＤ受信手段２２０に伝達する機能を有する。通信媒体５００は、例えば、有線の通信ケーブルなどの視覚的に認識可能な通信媒体である。なお、ＩＤ送信手段４２０とＩＤ受信手段２２０とが人体通信に対応している場合には、ＩＤ受信手段２２０と情報表現部４００とに触れる評価者自身の人体が通信媒体５００として機能する。【００３６】
通信媒体５００は、ＩＤ送信手段４２０から評価点指定手段２１０を経由してＩＤ受信手段２２０へと接続されてもよい。たとえば、評価点指定手段２１０がタンジブルデバイスであり、ＩＤ受信手段２２０がタンジブルデバイスとは別の場所にある場合、視覚的に認識可能な通信媒体５００によってＩＤ送信手段４２０とタンジブルデバイスとが接続され、ＩＤ送信手段４２０から送信されたＩＤは、タンジブルデバイスを経由してＩＤ受信手段２２０へと送信される。あるいは、評価点指定手段２１０がタッチパネルに触れる評価者の指先に対応する位置に設けられているセンサである場合、視覚的に認識可能な通信媒体５００（この場合は情報表現部４００とタッチパネルの双方に触れている評価者自身の人体がこの機能を果たす）によってＩＤ送信手段４２０とセンサとが接続され、ＩＤ送信手段４２０から送信されたＩＤは、当該センサを経由してＩＤ受信手段２２０へと送信される。【００３７】
あるいは、通信媒体５００は、ＩＤ送信手段４２０から、評価点指定手段２１０と実質的に同じ場所（例えば、評価点指定手段２１０の近傍）に格納されたＩＤ受信手段２２０へと接続されてもよい。【００３８】
通信媒体５００を上述のような接続形態とすることにより、評価点指定手段２１０と情報表現部４００との接続が視覚的に認識可能となるため、評価点と情報表現部の対応関係が、評価者以外の人にも認識可能になる。【００３９】
図２は、本発明の位置依存情報表現システムの第１の実施の形態の動作を示すフローチャートである。まず、制御装置８００は、地図データまたはレイアウト図データのうち、評価者により指定された領域に対応する地図データまたはレイアウト図データにもとづいて、当該領域の地図またはレイアウト図を地図／レイアウト図表示手段１００に表示させる（ステップＳ１０１）。【００４０】
次に、制御装置８００は、評価点指定手段２１０が操作されて評価点が指定されると、地図／レイアウト図表示手段１００に表示されている地図またはレイアウト図の領域内で、評価点指定手段２１０により指定された評価点を示す位置データを取得し、取得した位置データを情報取得手段３００へ送付する（ステップＳ１０２）。【００４１】
また、ＩＤ送信手段４２０は、情報表現部４００を識別するためのＩＤを、通信媒体５００を介してＩＤ受信手段２２０へ送信する（ステップＳ１０４）。ＩＤ受信手段２２０は、ステップＳ１０４で送信されたＩＤを受信し、制御装置８００へ出力する。制御装置８００は、ＩＤ受信手段２２０が受信したＩＤを、情報取得手段３００へ送付する（ステップＳ１０５）。【００４２】
情報取得手段３００は、ステップＳ１０２で送付された評価点の位置データにもとづいて、当該評価点における情報データを取得する。そして、取得した情報データをステップＳ１０５で送付されたＩＤと共に情報表現手段４１０へ送付する（ステップＳ１０３）。情報表現手段４１０は、ステップＳ１０３で送付されたＩＤと情報表現部４００のＩＤとが合致した場合に、ステップＳ１０３で送付された情報データに応じた動作を行い、情報データを表現する（ステップＳ１０６）。【００４３】
図３は、複数の評価者が同時に異なる評価点の情報評価を行う場合の位置依存情報表現システムの構成例を示すブロック図である。図３に示す例では、評価者ａが、評価点指定手段２１０ａによって評価点ａを指定し、評価者ｂが、評価点指定手段２１０ｂによって評価点ｂを指定するとする。【００４４】
また、ＩＤ受信手段２２０ａと情報表現部４００ａとの間は、評価点ａを指定する評価点指定手段２１０ａと情報表現部４００ａとの対応が視覚的に認識可能なように通信媒体５００ａによって接続され、ＩＤ受信手段２２０ｂと情報表現部４００ｂとの間は、評価点ｂを指定する評価点指定手段２１０ｂと情報表現部４００ｂとの対応が視覚的に認識可能なように通信媒体５００ｂによって接続される。【００４５】
なお、評価点指定手段２１０ａおよび評価点指定手段２１０ｂは図１に示す評価点指定手段２１０と同様な構成である。また、ＩＤ受信手段２２０ａおよびＩＤ受信手段２２０ｂは図１に示すＩＤ受信手段２２０と同様な構成である。また、情報表現部４００ａおよび情報表現部４００ｂは図１に示す情報表現部４００と同様な構成である。また、通信媒体５００ａおよび通信媒体５００ｂは図１に示す通信媒体５００と同様な構成である。【００４６】
ＩＤ送信手段４２０ａは、情報表現部４００ａのＩＤを通信媒体５００ａを介してＩＤ受信手段２２０ａへ送信する。ＩＤ受信手段２２０ａは、送信された情報表現部４００ａのＩＤを受信する。制御装置８００は、ＩＤ受信手段２２０ａが受信した情報表現部４００ａのＩＤと、評価点指定手段２１０ａが指定した評価点ａを示す位置データとを情報取得手段３００に送信する。【００４７】
情報取得手段３００は、評価点ａを示す位置データにもとづいて、評価点ａにおける情報データを取得する。また、情報取得手段３００は、取得した評価点ａにおける情報データと、ＩＤ受信手段２２０ａが受信した情報表現部４００ａのＩＤとを情報表現手段４１０ａへ送付する。情報表現手段４１０ａは、送付されたＩＤと情報表現部４００ａのＩＤとが合致した場合に、送付された情報データを表現する。【００４８】
ＩＤ送信手段４２０ｂは、情報表現部４００ｂのＩＤを通信媒体５００ｂを介してＩＤ受信手段２２０ｂへ送信する。ＩＤ受信手段２２０ｂは、送信された情報表現部４００ｂのＩＤを受信する。制御装置８００は、ＩＤ受信手段２２０ｂが受信した情報表現部４００ｂのＩＤと、評価点指定手段２１０ｂが指定した評価点ｂを示す位置データとを情報取得手段３００に送信する。【００４９】
情報取得手段３００は、評価点ｂを示す位置データにもとづいて、評価点ｂにおける情報データを取得する。また、情報取得手段３００は、取得した評価点ｂにおける情報データと、ＩＤ受信手段２２０ｂが受信した情報表現部４００ｂのＩＤとを情報表現手段４１０ｂへ送付する。情報表現手段４１０ｂは、送付されたＩＤと情報表現部４００ｂのＩＤとが合致した場合に、送付された情報データを表現する。【００５０】
図３に示す位置依存情報表現システムでは、評価点ａにおける情報データは、情報データと共に送付されたＩＤが情報表現部４００ａのＩＤに合致するので、情報表現手段４１０ａで表現されるが、評価点ｂにおける情報データは、送付されたＩＤが情報表現部４００ａのＩＤに合致しないので情報表現手段４１０ａでは表現されない。【００５１】
また、図３に示す位置依存情報表現システムでは、評価点ｂにおける情報データは、情報データと共に送付されたＩＤが情報表現部４００ｂのＩＤに合致するので、情報表現手段４１０ｂで表現されるが、評価点ａにおける情報データは、送付されたＩＤが情報表現部４００ｂのＩＤに合致しないので情報表現手段４１０ｂでは表現されない。【００５２】
評価点ａには情報表現手段ａが対応し、評価点ｂには情報表現手段ｂが対応することが通信媒体５００ａと通信媒体５００ｂとの接続により示され、各評価者に各情報データがどの評価点における情報データであるのかを容易に認識させることができる。【００５３】
また、評価点ａを指定する評価点指定手段２１０ａと情報表現部４００ａとの接続が、視覚的に認識可能となり、評価点ｂを指定する評価点指定手段２１０ｂと情報表現部４００ｂとの接続が、視覚的に認識可能となるので、評価点と情報表現部との対応関係が評価者以外の人にも認識可能になる。なお、以下、第２〜第５の実施の形態では、評価点と情報表現部とは、対応付けられた１組のみを示している。【００５４】
（実施形態２）
本発明の第２の実施の形態について、図面を参照して説明する。図４は、本発明による位置依存情報表現システムの第２の実施の形態の構成を示すブロック図である。【００５５】
図４に示す位置依存情報表現システムは、接続された地図／レイアウト図表示手段１００、評価点指定手段２１０、および情報送信手段２２１を制御する制御装置８００と、情報取得手段３００と、情報表現部４０１とを含む。なお、情報送信手段２２１と情報表現部４０１とは、通信媒体５０１を介して接続される。【００５６】
なお、地図／レイアウト図表示手段１００と、評価点指定手段２１０と、情報取得手段３００と、情報表現手段４１０との構成、および具体的な機器の例は、第１の実施の形態の説明において示したとおりである。【００５７】
情報送信手段２２１は、情報取得手段３００が取得した情報データを、通信媒体５０１を介して情報受信手段４２１へ送信する機能を有する。【００５８】
情報受信手段４２１は、情報送信手段２２１から送信された情報データを受信する機能を有する。なお、情報表現部４０１は、情報表現手段４１０および情報受信手段４２１を含む。【００５９】
通信媒体５０１は、情報送信手段２２１と、情報表現部４０１に格納されている情報受信手段４２１とに接続され、情報送信手段２２１から送信された情報データを情報受信手段４２１に伝達する機能を有する。通信媒体５０１は、例えば、有線の通信ケーブルなどの視覚的に認識可能な通信媒体である。なお、情報送信手段２２１と情報受信手段４２１とが人体通信に対応している場合には、情報送信手段２２１と情報表現部４０１とに触れる評価者自身の人体が通信媒体５０１として機能する。【００６０】
通信媒体５０１は、情報送信手段２２１から評価点指定手段２１０を経由して情報受信手段４２１へと接続されてもよい。たとえば、評価点指定手段２１０がタンジブルデバイスであり、情報送信手段２２１がタンジブルデバイスとは別の場所にある場合、視覚的に認識可能な通信媒体５０１によってタンジブルデバイスと情報受信手段４２１とが接続され、情報送信手段２２１から送信された情報データは、タンジブルデバイスを経由して情報受信手段４２１へと送信される。あるいは、評価点指定手段２１０がタッチパネルに触れる評価者の指先に対応する位置に設けられているセンサである場合、視覚的に認識可能な通信媒体５０１（この場合は情報表現部４０１とタッチパネルの双方に触れている評価者自身の人体がこの機能を果たす）によってセンサと情報受信手段４２１とが接続され、情報送信手段２２１から送信された情報データは、当該センサを経由して情報受信手段４２１へと送信される。【００６１】
あるいは、通信媒体５０１は、評価点指定手段２１０と実質的に同じ場所（例えば、評価点指定手段２１０の近傍）に格納された情報送信手段２２１から、情報受信手段４２１へと接続されてもよい。【００６２】
通信媒体５０１を上述のような接続形態とすることにより、評価点指定手段２１０と情報表現部４０１との接続が視覚的に認識可能となるため、評価点と情報表現部の対応関係が、評価者以外の人にも認識可能になる。【００６３】
図５は、本発明の位置依存情報表現システムの第２の実施の形態の動作を示すフローチャートである。【００６４】
まず、制御装置８００は、地図データまたはレイアウト図データのうち、評価者により指定された領域に対応する地図データまたはレイアウト図データにもとづいて、当該領域の地図またはレイアウト図を地図／レイアウト図表示手段１００に表示させる（ステップＳ２０１）。【００６５】
次に、制御装置８００は、評価点指定手段２１０が操作されて評価点が指定されると、地図／レイアウト図表示手段１００に表示されている地図またはレイアウト図の領域内で、評価点指定手段２１０により指定された評価点を示す位置データを取得し、取得した位置データを情報取得手段３００へ送付する（ステップＳ２０２）。【００６６】
情報取得手段３００は、ステップＳ２０２で送付された評価点の位置データにもとづいて、当該評価点における情報データを取得する（ステップＳ２０３）。情報取得手段３００は、取得した情報データを、制御装置８００、情報送信手段２２１、および通信媒体５０１を介して情報表現部４０１の情報受信手段４２１に送付する（ステップＳ２０４）。【００６７】
情報受信手段４２１は、ステップＳ２０４で送付された情報データを受信する（ステップＳ２０５）。情報表現手段４１０は、ステップＳ２０５で情報受信手段４２１が受信した情報データに応じた動作を行い、情報データを表現する（ステップＳ２０６）。【００６８】
第２の実施の形態の位置依存情報表現システムは、情報データの送受信を、評価点指定手段２１０と実質的に同じ位置（例えば、評価点指定手段２１０の近傍）に設置されている情報送信手段２２１から情報表現部４０１へと接続されるか、あるいは情報送信手段２２１から評価点指定手段２１０を経由して情報表現部４０１へと接続され、視覚的に認識可能な通信媒体５０１を介して行う。このような形態にすることで、指定された評価点における情報データは、通信媒体５０１で接続された情報表現部４０１で表現され、評価点と情報表現部４０１との対応関係が評価者以外の人にも認識可能になる。【００６９】
（実施形態３）
本発明の第３の実施の形態について、図面を参照して説明する。図６は、本発明による位置依存情報表現システムの第３の実施の形態の構成を示すブロック図である。【００７０】
図６に示す位置依存情報表現システムは、接続された地図／レイアウト図表示手段１００、評価点指定手段２１０、ＩＤ表示手段（表示手段）２３０、およびＩＤ受信手段（表現手段ＩＤ受信手段）２２２を制御する制御装置８００と、情報取得手段３００と、情報表現部４０２とを含む。【００７１】
なお、地図／レイアウト図表示手段１００と、情報表現手段４１０と、情報取得手段３００との構成、および具体的な機器の例は、第１の実施の形態の説明において示したとおりである。また、評価点指定手段２１０の具体的な機器の例は、第１の実施の形態において示したタンジブルデバイスやタッチパネルに触れる評価者の指先に対応する位置に設けられているセンサのほか、マウスやスライドパットなどであってもよい。【００７２】
ＩＤ受信手段２２２は、ＩＤ送信手段４２２から送信されたＩＤを受信する機能を有する。ＩＤ表示手段２３０は、ＩＤ送信手段４２２からＩＤ受信手段２２２へのＩＤの送受信が完了した時点で、制御装置８００の制御に従って、当該ＩＤに応じた色や文字等を表示する機能を有する。【００７３】
なお、制御装置８００は、ＩＤ表示手段２３０として、タンジブルデバイスに具備されたライトやウィンドウに、当該ＩＤに応じた色や文字等を表示させてもよい。または、地図／レイアウト図表示手段１００の画面内であって、評価者によってタンジブルデバイスやタッチパネルで指定された位置やその近傍に、当該ＩＤに応じた色や文字等を表示させてもよい。あるいは、マウスポインタそのものを、当該ＩＤに応じた色や文字等を表示させてもよい。【００７４】
情報表現部４０２は、ＩＤ表示手段４３０と、ＩＤ送信手段４２２と、情報表現手段４１０とを含む。ＩＤ送信手段４２２は、情報表現部４０２のＩＤをＩＤ受信手段２２２へ送信する機能を有する。ＩＤ表示手段４３０は、ＩＤ送信手段４２２からＩＤ受信手段２２２へのＩＤの送受信が完了した時点で、当該ＩＤに応じた色や文字等を表示する機能を有する。【００７５】
情報表現部４０２は、音声通信や映像通信におけるユーザ体感品質を主観評価する場合には、例えば、情報データとしての音声データや映像データを再生する機器である。あるいは、表現する情報が数値や文字等で表される場合には、地図／レイアウト図表示手段１００の画面の一部分であってもよい。ＩＤ表示手段４３０は、情報表現部４０２が情報データとしての音声データや映像データを再生する機器である場合、当該機器内に具備されたライトやウィンドウに、当該ＩＤに応じた色や文字等を表示させてもよい。あるいは、情報表現部４０２が地図／レイアウト図表示手段１００の画面の一部分である場合には、地図／レイアウト図表示手段１００とＩＤ表示手段４３０とが同一の機器となる。【００７６】
なお、ＩＤ表示手段２３０およびＩＤ表示手段４３０に同じ色や文字等を表示させるために、情報表現部４０２および制御装置８００は、情報表現部４０２のＩＤと、表示させる色や文字等とを対応づけるテーブルを予め記憶し、情報表現部４０２は、ＩＤ送信手段４２２がＩＤを送信した場合に、当該テーブルを参照して当該ＩＤに対応づけられた色や文字等をＩＤ表示手段４３０に表示させ、制御装置８００は、ＩＤ受信手段２２２がＩＤを受信した場合に、当該テーブルを参照して当該ＩＤに対応づけられた色や文字等をＩＤ表示手段２３０に表示させてもよい。【００７７】
また、ＩＤ表示手段２３０およびＩＤ表示手段４３０に同じ色や文字等を表示させるために、情報表現部４０２は、ＩＤ送信手段４２２に、ＩＤと、当該ＩＤに応じた色を示すデータ（例えば、ＲＧＢ形式のデータ）や文字を示すデータ（例えば、ＡＳＣＩＩ形式のデータ）をＩＤ受信手段２２２へ送付させた場合、当該データにもとづく色や文字をＩＤ表示手段４３０に表示させ、制御装置８００は、受信したデータにもとづく色や文字をＩＤ表示手段２３０に表示させてもよい。【００７８】
図７は、本発明の位置依存情報表現システムの第３の実施の形態の動作を示すフローチャートである。まず、制御装置８００は、地図データまたはレイアウト図データのうち、評価者により指定された領域に対応する地図データまたはレイアウト図データにもとづいて、当該領域の地図またはレイアウト図を地図／レイアウト図表示手段１００に表示させる（ステップＳ３０１）。【００７９】
次に、制御装置８００は、評価点指定手段２１０が操作されて評価点が指定されると、地図／レイアウト図表示手段１００に表示されている地図またはレイアウト図の領域内で、評価点指定手段２１０により指定された評価点を示す位置データを取得し、取得した位置データを情報取得手段３００へ送付する（ステップＳ３０２）。【００８０】
また、ＩＤ送信手段４２２は、情報表現部４０２を識別するためのＩＤを、ＩＤ受信手段２２２へ送信する（ステップＳ３０３）。ＩＤ送信手段４２２からＩＤ受信手段２２２へのＩＤの送受信が完了した時点で、ＩＤ表示手段２３０および情報表現部４０２のＩＤ表示手段４３０は、ＩＤに応じた同一の色や文字等を表示する。ＩＤ受信手段２２２は、ステップＳ３０３で送信されたＩＤを受信し、制御装置８００へ出力する。制御装置８００は、ＩＤ受信手段２２２が受信したＩＤを、情報取得手段３００へ送付する（ステップＳ３０４）。制御装置８００は、情報取得手段３００へのＩＤの送受信が完了した時点で、ＩＤに応じた色や文字等をＩＤ表示手段２３０とＩＤ表示手段４３０とに表示させる（ステップＳ３０７）。【００８１】
情報取得手段３００は、ステップＳ３０２で送付された評価点の位置データにもとづいて、当該評価点における情報データを取得する。そして、取得した情報データをステップＳ３０４で送付されたＩＤと共に情報表現手段４１０へ送付する（ステップＳ３０５）。情報表現手段４１０は、ステップＳ３０５で送付されたＩＤと情報表現部４０２のＩＤとが合致した場合に、ステップＳ３０５で送付された情報データに応じた動作を行い、情報データを表現する（ステップＳ３０６）。【００８２】
第３の実施の形態では、情報データが表現される前に、情報表現部４０２のＩＤ送信手段４２２が情報表現部４０２のＩＤをＩＤ受信手段２２２に送付するので、ＩＤ表示手段２３０とＩＤ表示手段４３０とで同一の色や文字等を表示することができる。【００８３】
また、情報表現手段４１０は、情報取得手段３００から送付されたＩＤが情報表現部４０２のＩＤと合致する場合に、情報取得手段３００が取得した情報データを表現する。このような形態によれば、指定された評価点における情報データは、ＩＤにもとづいて対応する情報表現部に表現させることができる。さらに、評価点と情報表現部との対応関係が評価者以外の人にも認識可能になる。【００８４】
従って、第１の実施の形態および第２の実施の形態のように、ＩＤおよび情報データが送受信される通信媒体は視覚的に認識可能である必要はなく、例えば、赤外線通信や無線通信等でＩＤや情報データが送受信されてもよい。【００８５】
なお、第１の実施の形態および第３の実施の形態は、情報表現部が、制御装置８００に制御されるＩＤ受信手段へ情報表現部のＩＤを送信する形態としたが、評価点を識別するためのＩＤを、制御装置８００から情報表現部に送信する形態でもよい。【００８６】
（実施形態４）
本発明の第４の実施の形態について、図面を参照して説明する。図８は、本発明による位置依存情報表現システムの第４の実施の形態の構成を示すブロック図である。【００８７】
図８に示す位置依存情報表現システムは、接続された地図／レイアウト図表示手段１００、評価点指定手段２１０、ＩＤ表示手段２３０、およびＩＤ指定手段（評価点ＩＤ指定手段）２２３を制御する制御装置８００と、情報取得手段３００と、情報表現部４０３とを含む。【００８８】
なお、地図／レイアウト図表示手段１００と、評価点指定手段２１０と、情報取得手段３００と、情報表現手段４１０との構成、および具体的な機器の例は、第１の実施の形態の説明において示したとおりである。【００８９】
ＩＤ指定手段２２３は、評価者の操作に従って、評価点のＩＤを指定する機能を有する。ＩＤ指定手段２２３は、例えば、評価点指定手段２１０に設けられたボタンによって実現される。ＩＤ表示手段２３０は、ＩＤ指定手段２２３にＩＤが指定された時点で、当該ＩＤに応じた色や文字等を表示する機能を有する。【００９０】
情報表現部４０３は、ＩＤ表示手段４３０とＩＤ指定手段（ＩＤ選択手段）４２３と情報表現手段４１０とを含む。ＩＤ指定手段４２３は、評価者の操作に従って、情報表現部４０３のＩＤを指定（選択）する機能を有する。ＩＤ指定手段４２３は、例えば、情報表現部４０３に設けられたボタンによって実現される。ＩＤ表示手段４３０は、ＩＤ指定手段４２３でＩＤが指定された時点で、当該ＩＤに応じた色や文字等を表示する機能を有する。【００９１】
なお、ＩＤ表示手段２３０およびＩＤ表示手段４３０に同じ色や文字等を表示させるために、情報表現部４０３および制御装置８００は、情報表現部４０３のＩＤと、表示させる色や文字等とを対応づけるテーブルを予め記憶し、情報表現部４０３は、ＩＤ指定手段４２３にＩＤを指定された場合に、当該テーブルを参照して当該ＩＤに対応づけられた色や文字等をＩＤ表示手段４３０に表示させ、制御装置８００は、ＩＤ指定手段２２３にＩＤを指定された場合に、当該テーブルを参照して当該ＩＤに対応づけられた色や文字等をＩＤ表示手段２３０に表示させてもよい。【００９２】
図９は、本発明の位置依存情報表現システムの第４の実施の形態の動作を示すフローチャートである。【００９３】
まず、制御装置８００は、地図データまたはレイアウト図データのうち、評価者により指定された領域に対応する地図データまたはレイアウト図データにもとづいて、当該領域の地図またはレイアウト図を地図／レイアウト図表示手段１００に表示させる（ステップＳ４０１）。【００９４】
次に、制御装置８００は、評価点指定手段２１０が操作されて評価点が指定されると、地図／レイアウト図表示手段１００に表示されている地図またはレイアウト図の領域内で、評価点指定手段２１０により指定された評価点を示す位置データを取得し、取得した位置データを情報取得手段３００へ送付する（ステップＳ４０２）。【００９５】
ＩＤ指定手段４２３は、評価者の操作に従って情報表現部４０３のＩＤを指定する（ステップＳ４０３）。次に、情報表現部４０３のＩＤ表示手段４３０は、ステップＳ４０３で指定されたＩＤに応じた色や文字等を表示する（ステップＳ４０４）。【００９６】
ＩＤ指定手段２２３は、評価者の操作に従って評価点のＩＤを、情報データを表現させたい情報表現部のＩＤと同一のＩＤに指定し、制御装置８００は、指定されたＩＤを情報取得手段３００に送付する（ステップＳ４０５）。次に、ＩＤ表示手段２３０は、ステップＳ４０５で指定されたＩＤに応じた色や文字等を表示する（ステップＳ４０８）。【００９７】
情報取得手段３００は、ステップＳ４０２で送付された評価点の位置データにもとづいて、当該評価点における情報データを取得する。そして、取得した情報データをステップＳ４０５で送付されたＩＤと共に情報表現手段４１０へ送付する（ステップＳ４０６）。情報表現手段４１０は、ステップＳ４０６で送付されたＩＤと情報表現部４０３のＩＤとが合致した場合に、ステップＳ４０６で送付された情報データに応じた動作を行い、情報データを表現する（ステップＳ４０７）。【００９８】
なお、ＩＤ指定手段４２３のＩＤ指定の動作とＩＤ表示手段４３０のＩＤ表示の動作と（ステップＳ４０３とＳ４０４）は、ＩＤ指定手段２２３のＩＤ指定の動作とＩＤ表示手段２３０のＩＤ表示の動作と（ステップＳ４０５とＳ４０８）の後に続けて実施されてもよいが、ステップＳ４０７の情報データの表現動作が実施される際には、ＩＤ指定手段４２３のＩＤ指定とＩＤ表示手段４３０のＩＤ表示（ステップＳ４０３とＳ４０４）との動作を完了しておくことが好ましい。【００９９】
第４の実施の形態では、情報表現部４０３のＩＤと評価点のＩＤとを同一のものとしておくことにより、ＩＤ表示手段２３０とＩＤ表示手段４３０とで同一の色や文字等を表示することができる。【０１００】
また、情報表現手段４１０は、情報取得手段３００から送付されたＩＤが情報表現部４０３のＩＤと合致する場合に、情報取得手段３００が取得した情報データを表現する。このような形態にしたので、指定された評価点における情報データを、ＩＤにもとづいて対応する情報表現部に表現させることができる。さらに、評価点と情報表現部との対応関係が評価者以外の人にも認識可能になる。【０１０１】
従って、第１の実施の形態から第３の実施の形態のように、ＩＤおよび情報データを送受信する必要はない。【０１０２】
なお、第３の実施の形態および第４の実施の形態においては、実際の評価者が情報データを評価している状態（つまり、情報表現部４０３が情報データを表現している状態）であるか否かの違いを、ＩＤ表示手段２３０とＩＤ表示手段４３０とに表示された色や文字等の点滅具合によって表現してもよい。すると、評価者に、情報表現部４０３の動作状況を評価者に認識させることができる。【０１０３】
例えば、評価点と情報表現部とに同一のＩＤが指定されているが、情報表現手段４１０ではまだ情報データの表現がなされていない状態では、ＩＤ表示手段２３０とＩＤ表示手段４３０は色や文字等を点灯して表示し、情報表現手段４１０で情報データの表現が開始された時点で、ＩＤ表示手段２３０とＩＤ表示手段４３０では色や文字等を同じタイミングで点滅して表示する。【０１０４】
また、情報データを評価した結果に応じて、ＩＤ表示手段２３０とＩＤ表示手段４３０とが表示する色や文字等の点滅具合を変えて表現してもよい。例えば、情報表現手段４１０で表現している情報データが良ければ（例えば、通信品質を示す情報データが、遅延やパケット損失の存在を示していない場合）、ＩＤ表示手段２３０とＩＤ表示手段４３０とは色や文字等を点灯して表示し、逆に情報データが悪ければ、ＩＤ表示手段２３０とＩＤ表示手段４３０では色や文字等を同じタイミングで点滅して表示する。すると、情報データの評価結果を評価者に認識させることができる。なお、情報取得手段３００は、情報データが良いのかまたは悪いのかを、例えば、情報データに遅延やパケット損失の存在が示されているか否かによって判断する。【０１０５】
（実施形態５）
本発明の第５の実施の形態について、図面を参照して説明する。図１０は、本発明による位置依存情報表現システムの第５の実施の形態の構成を示すブロック図である。【０１０６】
図１０に示す位置依存情報表現システムは、接続された地図／レイアウト図表示手段１００、評価点指定手段２１０、およびＩＤ受信手段２２０を制御する制御装置８００と、情報取得手段３００と、情報表現部４００とを含み、情報取得手段３００に、情報表現手段４１０ｃが接続され、情報表現手段４１０ｃにＩＤ指定手段４２０ｃが接続されている。【０１０７】
なお、地図／レイアウト図表示手段１００と、評価点指定手段２１０と、ＩＤ受信手段２２０と、情報取得手段３００と、情報表現部４００との構成、および具体的な機器の例は、第１の実施の形態の説明において示したとおりである。【０１０８】
ＩＤ指定手段４２０ｃは、評価者の操作に従って情報表現手段のＩＤを選択（指定）し、選択したＩＤに応じて、情報表現手段４１０ｃによって表現される情報データを選択する機能を有する。【０１０９】
情報表現手段４１０ｃは、情報取得手段３００から送付されたＩＤが、ＩＤ指定手段４２０ｃが選択したＩＤと合致する場合に、情報取得手段３００で取得された情報データを表現する機能を有する。情報表現手段４１０ｃの具体例は、第１の実施の形態の説明で示した情報表現手段４００の具体例と同じである。ただし、図１０で示す情報表現手段４００とは別の機器を用いる。【０１１０】
図１１は、本発明の位置依存情報表現システムの第５の実施の形態の動作を示すフローチャートである。【０１１１】
まず、制御装置８００は、地図データまたはレイアウト図データのうち、評価者により指定された領域に対応する地図データまたはレイアウト図データにもとづいて、当該領域の地図またはレイアウト図を地図／レイアウト図表示手段１００に表示させる（ステップＳ５０１）。【０１１２】
次に、制御装置８００は、評価点指定手段２１０が操作されて評価点が指定されると、地図／レイアウト図表示手段１００に表示されている地図またはレイアウト図の領域内で、評価点指定手段２１０により指定された評価点を示す位置データを取得し、取得した位置データを情報取得手段３００へ送付する（ステップＳ５０２）。【０１１３】
また、ＩＤ送信手段４２０は、情報表現部４００を識別するためのＩＤを、通信媒体５００を介してＩＤ受信手段２２０へ送信する（ステップＳ５０３）。ＩＤ受信手段２２０は、ステップＳ５０３で送信されたＩＤを受信し、制御装置８００へ出力する。制御装置８００は、ＩＤ受信手段２２０が受信したＩＤを、情報取得手段３００へ送付する（ステップＳ５０４）。【０１１４】
情報取得手段３００は、ステップＳ５０２で送付された評価点の位置データにもとづいて、当該評価点における情報データを取得する。そして、取得した情報データをステップＳ５０４で送付されたＩＤと共に情報表現手段４１０および情報表現手段４１０ｃへ送付する（ステップＳ５０５）。情報表現手段４１０は、ステップＳ５０５で送付されたＩＤと情報表現部４００のＩＤとが合致した場合に、ステップＳ５０５で送付された情報データに応じた動作を行い、情報データを表現する（ステップＳ５０６）。【０１１５】
情報表現手段４１０ｃは、ステップＳ５０５で送付されたＩＤと、ＩＤ指定手段４２０ｃによって選択されたＩＤとが合致した場合に、ステップＳ５０５で送付された情報データに応じた動作を行い、情報データを表現する（ステップＳ５０７）。【０１１６】
第５の実施の形態では、評価者が評価するための情報表現手段４１０の他に、評価者以外の人も情報評価ができるように、評価者が用いる情報表現手段４１０とは別の情報表現手段４１０ｃを用いる。そのため、評価点において評価されている情報を、評価者以外の人と共有することができる。なお、本実施の形態では、第１の実施の形態の構成に情報表現手段４１０ｃ等を追加したが、第２の実施の形態〜第４の実施の形態の構成に情報表現手段４１０ｃ等を追加してもよい。【０１１７】
なお、以上に述べた各実施の形態において、制御装置８００、情報取得手段３００および制御装置８００に制御される各手段は、一つの装置（例えば、制御手段または位置依存情報表現制御装置としてのサーバ）によって実現されてもよい。
【実施例１】
【０１１８】
次に、具体的な実施例を用いて本発明を実施するための最良の形態の動作を説明する。以下の各実施例では、評価者が、本発明の各実施の形態の位置依存情報表現システムを用いて携帯電話システムの音声品質を評価する場合について説明する。なお、テーブルに表示された地図を用いて、複数の人間が通信ネットワークの設備計画や設計を共同で行うシーン（コデザイン環境）を想定する。【０１１９】
まず、図１に示す第１の実施の形態の位置依存情報表現システムの実施例について説明する。第１の実施例における地図／レイアウト図表示手段１００には、テーブル状のスクリーンが用いられるとする。評価点指定手段２１０には、当該スクリーン上に置くことで位置の指定が可能なタンジブルデバイスが用いられるとする。当該タンジブルデバイスの内部には、ＩＤ受信手段２２０が具備されている。情報取得手段３００として、指定された評価点におけるネットワーク品質を推定し、推定したネットワーク品質にもとづいて音声データを劣化させて当該ネットワーク品質を模擬する品質模擬機器が用いられる。【０１２０】
ネットワーク品質の推定手法には、例えば、指定された評価点における電波環境をシミュレーションによって算出し、トラフィックデータとともにトラフィックシミュレーションを行う手法を用いる。情報表現手段４１０として、音声データを受信し、復号することが可能な評価用端末が用いられるとする。当該評価用端末の内部には、ＩＤ送信手段４２０が具備されている。通信媒体５００として、通信用ケーブルが用いられる。【０１２１】
第１の実施例の位置依存情報表現システムの動作について説明する。まず、評価者によって制御装置８００が操作され、音声品質を評価したい領域が指定されると、当該領域の地図またはレイアウト図がスクリーン上に表示される。次に、評価者がタンジブルデバイスを配置することにより、当該位置が評価点として指定される。【０１２２】
ここで、評価用端末とタンジブルデバイスとが通信用ケーブルで接続されると、評価用端末内のＩＤ送信手段４２０から、評価用端末を識別するためのＩＤが送信され、タンジブルデバイス内のＩＤ受信手段２２０が送信されたＩＤを受信する。そして、制御装置８００は、指定された評価点の位置データとＩＤ受信手段２２０が受信したＩＤとを、品質模擬機器に送信する。【０１２３】
品質模擬機器は、評価点の位置データにもとづいて、評価点におけるネットワーク品質を推定し、劣化を模擬した評価用データとＩＤとを評価用端末の情報表現手段４１０へ送付する。評価用端末では、送信されたＩＤが自身（評価用端末）のＩＤと合致すれば、送信された評価用データを受信して、復号する。【０１２４】
なお、ＩＤ送信手段４２０とＩＤ受信手段２２０とが人体通信に対応したものであれば、通信媒体５００として評価者の人体を活用することができる。つまり、評価者が評価用端末とタンジブルデバイスとの双方を握ることにより、評価用端末から送信されたＩＤがタンジブルデバイスまで送信され、ＩＤの送受信を行うことができる。
【実施例２】
【０１２５】
第２の実施例では、評価者が、図４に示す第２の実施の形態の位置依存情報表現システムを用いて携帯電話システムの音声品質を評価する場合について説明する。【０１２６】
本実施例における地図／レイアウト図表示手段１００、評価点指定手段２１０、情報取得手段３００、情報表現手段４１０として、第１の実施例で示した機器と同じ機器が用いられる。ただし、タンジブルデバイスの内部には、情報送信手段２２１が具備され、評価用端末の内部には、情報受信手段４２１が具備されている。【０１２７】
第２の実施例の位置依存情報表現システムの動作について説明する。まず、評価者によって制御装置８００が操作され、音声品質を評価したい領域が指定されると、当該領域の地図またはレイアウト図がスクリーン上に表示される。次に、評価者がタンジブルデバイスを配置することにより、当該位置が評価点として指定される。【０１２８】
制御装置８００は、指定された評価点の位置データを、品質模擬機器に送信する。品質模擬機器は、評価点の位置データにもとづいて、評価点におけるネットワーク品質を推定し、劣化が模擬された評価用データを、タンジブルデバイス内の情報送信手段２２１を介して評価用端末内の情報受信手段４２１へ送信する。評価用端末とタンジブルデバイスとを通信用ケーブルで接続すると、評価データは評価用端末まで送信される。評価用端末は、送信された評価用データを受信し、復号する。
【実施例３】
【０１２９】
第３の実施例では、評価者が、図６に示す第３の実施の形態の位置依存情報表現システムを用いて携帯電話システムの音声品質を評価する場合について説明する。【０１３０】
本実施例における地図／レイアウト図表示手段１００、評価点指定手段２１０、情報取得手段３００、情報表現手段４１０として、第１の実施例で示した機器と同じ機器が用いられる。ただし、タンジブルデバイスには、ＩＤ受信手段２２２と、ＩＤ表示手段２３０とが具備され、評価用端末には、ＩＤ送信手段４２２と、ＩＤ表示手段４３０とが具備されている。また、ＩＤ送信手段４２２とＩＤ受信手段２２２とが行うＩＤの送受信には赤外線通信が用いられる。【０１３１】
まず、評価者によって制御装置８００が操作され、音声品質を評価したい領域が指定されると、当該領域の地図またはレイアウト図がスクリーン上に表示される。次に、評価者によってタンジブルデバイスが配置されることにより、当該位置が評価点として指定される。【０１３２】
評価に用いる評価用端末と評価点とを対応付けるため、評価用端末のＩＤ送信手段４２２は、タンジブルデバイスのＩＤ受信手段２２２へＩＤを送信する。ＩＤの送受信が完了すると、タンジブルデバイスのＩＤ表示手段２３０、および評価用端末のＩＤ表示手段４３０は、同一の色または文字を表示する。【０１３３】
制御装置８００は、指定された評価点の位置データとＩＤ受信手段２２２が受信したＩＤとを、品質模擬機器に送信する。品質模擬機器は、評価点の位置データにもとづいて、評価点におけるネットワーク品質を推定し、劣化を模擬した評価用データとＩＤとを評価用端末の情報表現手段４１０へ送付する。評価用端末では、送信されたＩＤが自身（評価用端末）のＩＤと合致すれば、送信された評価用データを受信して、復号する。
【実施例４】
【０１３４】
第４の実施例では、評価者が、図８に示す第４の実施の形態の位置依存情報表現システムを用いて携帯電話システムの音声品質を評価する場合について説明する。【０１３５】
本実施例における地図／レイアウト図表示手段１００、評価点指定手段２１０、情報取得手段３００、および情報表現手段４１０として、第１の実施例で示した機器と同じ機器が用いられる。ただし、タンジブルデバイスには、ＩＤ指定手段２２３と、ＩＤ表示手段２３０とが具備され、評価用端末には、ＩＤ指定手段４２３と、ＩＤ表示手段４３０とが具備されている。【０１３６】
まず、評価者によって制御装置８００が操作され、音声品質を評価したい領域が指定されると、当該領域の地図またはレイアウト図がスクリーン上に表示される。次に、評価者がタンジブルデバイスを配置することにより、当該位置が評価点として指定される。【０１３７】
なお、評価に用いる評価用端末と評価点とを対応付けるため、評価用端末のＩＤ指定手段４２３とＩＤ指定手段２２３とには、同一のＩＤが指定されているとする。そして、評価用端末のＩＤ表示手段４３０、およびタンジブルデバイスのＩＤ表示手段２３０が表示する色や文字は、ＩＤに応じて決められるとすると、両者のＩＤを同一のＩＤに指定しておくことで、同一の色や文字が表示されることになる。【０１３８】
制御装置８００は、指定された評価点の位置データとＩＤ指定手段２２３に指定されたＩＤとを、品質模擬機器に送信する。品質模擬機器は、評価点の位置データにもとづいて、評価点におけるネットワーク品質を推定し、劣化を模擬した評価用データとＩＤとを評価用端末の情報表現手段４１０へ送付する。評価用端末では、送信されたＩＤが自身（評価用端末）のＩＤと合致すれば、送信された評価用データを受信して、復号する。
【実施例５】
【０１３９】
第５の実施例では、評価者が、図１０に示す第５の実施の形態の位置依存情報表現システムを用いて携帯電話システムの音声品質を評価する場合について説明する。【０１４０】
本実施例における地図／レイアウト図表示手段１００、評価点指定手段２１０、情報取得手段３００、情報表現手段４１０として、第１の実施例で示した機器と同じ機器が用いられる。なお、情報表現手段４１０ｃには、音声データを受信し、復号することが可能な評価用端末（例えば、携帯電話機）ｃが用いられる。【０１４１】
まず、評価者によって制御装置８００が操作され、音声品質を評価したい領域が指定されると、当該領域の地図またはレイアウト図がスクリーン上に表示される。次に、評価者によってタンジブルデバイスが配置されることにより、当該位置が評価点として指定される。【０１４２】
ここで、評価用端末とタンジブルデバイスとが通信用ケーブルで接続されると、評価用端末内のＩＤ送信手段４２０から、評価用端末を識別するためのＩＤが送信され、タンジブルデバイス内のＩＤ受信手段２２０が送信されたＩＤを受信する。そして、制御装置８００は、指定された評価点の位置データとＩＤ受信手段２２０が受信したＩＤとを、品質模擬機器に送信する。【０１４３】
品質模擬機器は、評価点の位置データにもとづいて、評価点におけるネットワーク品質を推定し、劣化を模擬した評価用データとＩＤとを評価用端末の情報表現手段４１０と評価用端末ｃの情報表現手段４１０ｃへ送付する。評価用端末は、送信されたＩＤが自身（評価用端末）のＩＤと合致すれば、送信された評価用データを受信して、復号する。【０１４４】
同様に、評価用端末ｃは、送信されたＩＤが選択された自身のＩＤと同一であれば、送信された評価用データを受信し、復号する。評価用端末ｃは、評価者以外の人が評価者の品質を共有するために用いられる。【０１４５】
本発明によれば、制御手段と位置依存情報表現手段とが評価点と位置依存情報表現手段との対応が視覚的に認識可能なように通信媒体によって接続され、通信媒体を介して情報データが送信された位置依存情報表現手段のみが当該情報を表現するので、それぞれの評価者がどの位置の情報を評価しているかを、評価者以外の人に容易に認識させることが可能になる。その結果、大きなディスプレイ上に表示された地図を用いて、複数の人間がネットワークの設備計画や設計を共同で行うといった状況において、設備計画や設計に参加しているメンバーの間での問題点の共有や、設備や設計条件の変更による効果の共有をスムーズに行うことが可能になる。【０１４６】
本発明によれば、位置依存情報表現手段のＩＤ表示手段と、当該位置依存情報表現手段から表現手段ＩＤが送信された制御手段によって表示される表示手段とが、同一の文字または色で表示されるので、それぞれの評価者がどの位置の情報を評価しているかを、評価者以外の人に容易に認識させることが可能になる。その結果、大きなディスプレイ上に表示された地図を用いて、複数の人間がネットワークの設備計画や設計を共同で行うといった状況において、設備計画や設計に参加しているメンバーの間での問題点の共有や、設備や設計条件の変更による効果の共有をスムーズに行うことが可能になる。【０１４７】
本発明によれば、位置依存情報表現手段のＩＤ選択手段で選択される表現手段ＩＤと、評価点ＩＤ指定手段で指定される評価点ＩＤとが同一である場合には、位置依存情報表現手段のＩＤ表示手段と制御手段によって表示される表示手段とが、同一の文字または色で表示されるので、それぞれの評価者がどの位置の情報を評価しているかを、評価者以外の人に容易に認識させることが可能になる。その結果、大きなディスプレイ上に表示された地図を用いて、複数の人間がネットワークの設備計画や設計を共同で行うといった状況において、設備計画や設計に参加しているメンバーの間での問題点の共有や、設備や設計条件の変更による効果の共有をスムーズに行うことが可能になる。【０１４８】
複数の位置依存情報表現手段を備え、情報取得手段または制御手段が、各位置依存情報表現手段に情報データを送信する場合には、情報データの評価結果を、評価者以外の人と共有することが可能になる。【０１４９】
また、ＩＤ表示手段が、位置依存情報表現手段の動作状況に応じて文字または色を点滅して表示し、制御手段が、位置依存情報表現手段の動作状況に応じて文字または色を点滅させて表示手段に表示させるように構成されている場合には、位置依存情報表現手段の動作状況を、評価者以外の人に容易に認識させることが可能になる。【０１５０】
また、ＩＤ表示手段が、表現する情報データに応じて文字または色を点滅して表示し、制御手段が、情報データに応じて文字または色を点滅させて表示手段に表示させるように構成されている場合には、情報データの評価結果を、評価者以外の人に容易に認識させることが可能になる。【０１５１】
以上、上記の実施形態および実施例において本願発明を説明したが、本願発明は上記の実施形態および実施例に記載の内容に限定されものではない。本願発明の構成や詳細には、本願発明の範囲内で当業者が理解し得る様々な変更をすることができる。【０１５２】
なお、この出願は、２００６年１２月１日に出願された日本出願特願２００６−３２５４９５号を基礎とする優先権を主張し、その開示の全てをここに取り込む。
【産業上の利用可能性】
【０１５３】
本発明は、ディスプレイに表示された地図やレイアウト図を用いて、位置に応じて変わる情報を複数の人間が同時に評価するために用いられるシステムに適用することができる。例えば、通信ネットワークの設備計画や設計を複数の人間が共同で行う場合に、それぞれの評価者が評価している特性情報がどの位置に対応しているのかを、評価者以外の人に容易に認識させる手段として適用することができる。
【図１】
2008066093.tif 000003
【図２】
2008066093.tif 000004
【図３】
2008066093.tif 000005
【図４】
2008066093.tif 000006
【図５】
2008066093.tif 000007
【図６】
2008066093.tif 000008
【図７】
2008066093.tif 000009
【図８】
2008066093.tif 000010
【図９】
2008066093.tif 000011
【図１０】
2008066093.tif 000012
【図１１】
2008066093.tif 000013
【手続補正書】
【提出日】平成20年3月25日(2008.3.25)
【手続補正１】
【補正対象書類名】特許請求の範囲
【補正対象項目名】全文
【補正方法】変更
【補正の内容】
【特許請求の範囲】
【請求項１】
位置に応じた情報を表現するための位置依存情報表現システムにおいて、
前評価者の指示に従って、指定された領域の地図またはレイアウト図を表示手段に表示させ、評価者の指示に従って、前記表示手段に表示させた前記地図またはレイアウト図の表示範囲内で、評価者によって指定された位置である評価点を指定する制御手段と、
前記評価点の情報を示す情報データを取得する情報取得手段と、
前記ノードは、可視の通信媒体を介して前記制御手段と接続され、前記情報取得手段が取得した情報データを表現する位置依存情報表現手段と、
を備える、ことを特徴とする位置依存情報表現システム。
【請求項２】
前記位置依存情報表現手段は、他の位置依存情報表現手段と区別するための表現手段ＩＤを制御手段に送信する表現手段ＩＤ送信手段を含み、
前記表現手段ＩＤ送信手段は、前記表現手段ＩＤを前記通信媒体を介して前記制御手段に送信し、
前記情報取得手段は、取得した情報データと、前記制御手段が受信した表現手段ＩＤとを前記位置依存情報表現手段に送信し、
前記位置依存情報表現手段は、送信された表現手段ＩＤと自身の表現手段ＩＤとが合致する場合に、送信された前記情報データを表現する、請求項１記載の位置依存情報表現システム。
【請求項３】
前記情報取得手段は、取得した情報データを前記通信媒体を介して前記位置依存情報表現手段に送信する、請求項１記載の位置依存情報表現システム。
【請求項４】
前記通信媒体は、前記評価者である、請求項１から請求項３までのいずれか１項に記載の位置依存情報表現システム。
【請求項５】
位置に応じた情報を表現するための位置依存情報表現システムにおいて、
評価者の指示に従って、指定された領域の地図またはレイアウト図を表示手段に表示させ、評価者の指示に従って、前記表示手段に表示させた前記地図またはレイアウト図の表示範囲内で、評価者によって指定された位置である評価点を指定する制御手段と、
前記評価点の情報を示す情報データを取得する情報取得手段と、
前記情報データを表現する位置依存情報表現手段と、を備え、
前記位置依存情報表現手段は、他の位置依存情報表現手段と区別するための表現手段ＩＤを制御手段に送信する表現手段ＩＤ送信手段を含み、
前記表現手段ＩＤ送信手段は、表現手段ＩＤを前記制御手段に送信し、
前記情報取得手段は、取得した情報データと、前記制御手段に送信された表現手段ＩＤとを前記位置依存情報表現手段に送信し、
前記位置依存情報表現手段は、送信された表現手段ＩＤと自身の表現手段ＩＤとが合致する場合に、送信された前記情報データを表現する、ことを特徴とする位置依存情報表現システム。
【請求項６】
前記表現手段ＩＤ送信手段が送信した表現手段ＩＤを受信する表現手段ＩＤ受信手段を備え、
前記位置依存情報表現手段は、自身の表現手段ＩＤに応じた文字または色を表示するＩＤ表示手段を含み、
前記制御手段は、前記表現手段ＩＤ受信手段が受信した表現手段ＩＤに応じた文字または色であって、前記ＩＤ表示手段が表示している文字または色と同様な文字または色を前記表示手段に表示させる、請求項５記載の位置依存情報表現システム。
【請求項７】
前記ＩＤ表示手段は、前記表現手段ＩＤ送信手段における表現手段ＩＤの送信処理が終了したときに自身の表現手段ＩＤに応じた文字または色の表示を開始し、
前記制御手段は、前記表現手段ＩＤ受信手段における表現手段ＩＤの受信処理が終了したときに文字または色を前記表示手段に表示させる、請求項６記載の位置依存情報表現システム。
【請求項８】
位置に応じた情報を表現するための位置依存情報表現システムにおいて、
評価者の指示に従って、指定された領域の地図またはレイアウト図を表示手段に表示させ、評価者の指示に従って、前記表示手段に表示させた前記地図またはレイアウト図の表示範囲内で、評価者によって指定された位置である評価点を指定する制御手段と、
評価者の指示に従って、評価点を識別する評価点ＩＤを指定する評価点ＩＤ指定手段と、
前記評価点の情報を示す情報データを取得する情報取得手段と、
前記情報データを表現する位置依存情報表現手段と、を備え、
前記情報取得手段は、取得した情報データと、前記評価点ＩＤ指定手段が指定した評価点ＩＤとを前記位置依存情報表現手段に送信し、
前記位置依存情報表現手段は、評価者の指示に従って、他の位置依存情報表現手段と区別するための表現手段ＩＤを選択するＩＤ選択手段を含み、前記情報取得手段から送信された評価点ＩＤと前記ＩＤ選択手段が選択した表現手段ＩＤとが合致する場合に、前記情報取得手段から送信された前記情報データを表現する、ことを特徴とする位置依存情報表現システム。
【請求項９】
前記位置依存情報表現手段は、前記ＩＤ選択手段が選択した表現手段ＩＤに応じた文字または色を表示するＩＤ表示手段を含み、
前記制御手段は、前記評価点ＩＤ指定手段が指定した評価点ＩＤに応じた文字または色であって、前記ＩＤ表示手段が表示している文字または色と同様な文字または色を前記表示手段に表示させる、請求項８記載の位置依存情報表現システム。
【請求項１０】
複数の位置依存情報表現手段を備え、
各位置依存情報表現手段は、前記情報取得手段から送信された評価点ＩＤと評価者の指示に従ってＩＤ選択手段が選択した表現手段ＩＤとが合致する場合に、前記情報取得手段から送信された情報データを表現する、請求項８または請求項９に記載の位置依存情報表現システム。
【請求項１１】
前記ＩＤ表示手段は、前記位置依存情報表現手段の動作状況に応じて文字または色を点滅して表示し、
前記制御手段は、前記位置依存情報表現手段の動作状況に応じて文字または色を点滅させて前記表示手段に表示させる、請求項６、請求項７、請求項９、または請求項１０に記載の位置依存情報表現システム。
【請求項１２】
前記ＩＤ表示手段は、表現する情報データに応じて文字または色を点滅して表示し、
前記制御手段は、位置依存情報表現手段が表現する情報データに応じて文字または色を点滅させて表示手段に表示させる、請求項６、請求項７、請求項９、請求項１０、または請求項１１に記載の位置依存情報表現システム。
【請求項１３】
前記制御手段は、前記表示手段の上に置かれることで評価点を指示するタンジブルデバイスから評価点を示す情報を受信し、受信した前記情報にもとづいて評価点を指定する、請求項１から請求項１２までのいずれか１項に記載の位置依存情報表現システム。
【請求項１４】
位置に応じた情報を位置依存情報表現手段へ提供する位置依存情報表現制御装置において、
可視の通信媒体を介して前記位置情報表現手段と接続され、評価者の指示に従って、指定された領域の地図またはレイアウト図を表示手段に表示させ、評価者の指示に従って、前記表示手段に表示させた前記地図またはレイアウト図の表示範囲内で、評価者によって指定された位置である評価点を指定する制御手段と、
前記評価点の情報を示す情報データを取得して前記位置依存情報表現手段へ送信する情報取得手段と、
を備えることを特徴とする位置依存情報表現制御装置。
【請求項１５】
前記制御手段は、前記位置依存情報表現手段から、他の位置依存情報表現手段と区別するための表現手段ＩＤを前記通信媒体を介して受信し、
前記情報取得手段は、取得した情報データと、前記制御手段が受信した表現手段ＩＤとを前記位置依存情報表現手段に送信する、請求項１４記載の位置依存情報表現装置。
【請求項１６】
前記情報取得手段は、取得した情報データを前記通信媒体を介して前記位置依存情報表現手段に送信する、請求項１４記載の位置依存情報表現制御装置。
【請求項１７】
前記通信媒体は、前記評価者である、請求項１４から請求項１６までのいずれか１項に記載の位置依存情報表現装置。
【請求項１８】
位置に応じた情報を位置依存情報表現手段へ提供する位置依存情報表現制御装置において、
評価者の指示に従って、指定された領域の地図またはレイアウト図を表示手段に表示させ、評価者の指示に従って、前記表示手段に表示させた前記地図またはレイアウト図の表示範囲内で、評価者によって指定された位置である評価点を指定し、情報データを表現する位置依存情報表現手段に接続された制御手段と、
前記評価点の情報を示す情報データを取得する情報取得手段と、
位置依存情報表現手段を他の位置依存情報表現手段と区別するための表現手段ＩＤを前記位置依存情報表現手段から受信する表現手段ＩＤ受信手段を備え、
前記情報取得手段は、取得した情報データと、前記表現手段ＩＤ受信手段が受信した表現手段ＩＤとを前記位置依存情報表現手段に送信することを特徴とする位置依存情報表現制御装置。
【請求項１９】
前記制御手段は、前記表現手段ＩＤ受信手段が受信した表現手段ＩＤに応じた文字または色であって、前記位置依存情報表現手段が表示している文字または色と同様な文字または色を前記表示手段に表示させる、請求項１８記載の位置依存情報表現制御装置。
【請求項２０】
前記制御手段は、前記表現手段ＩＤ受信手段における表現手段ＩＤの受信処理が終了したときに文字または色を表示手段に表示させる、請求項１９記載の位置依存情報表現制御装置。
【請求項２１】
位置に応じた情報を位置依存情報表現手段へ提供する位置依存情報表現制御装置において、
評価者の指示に従って、指定された領域の地図またはレイアウト図を表示手段に表示させ、評価者の指示に従って、前記表示手段に表示させた前記地図またはレイアウト図の表示範囲内で、評価者によって指定された位置である評価点を指定する制御手段と、
評価者の指示に従って、評価点を識別する評価点ＩＤを指定する評価点ＩＤ指定手段と、
前記評価点の情報を示す情報データを取得する情報取得手段と、を備え、
前記情報取得手段は、取得した情報データと、前記評価点ＩＤ指定手段が指定した評価点ＩＤとを情報データを表現する位置依存情報表現手段に送信する、ことを特徴とする位置依存情報表現制御装置。
【請求項２２】
前記制御手段は、前記評価点ＩＤ指定手段が指定した評価点ＩＤに応じた文字または色であって、前記位置依存情報表現手段が表示している文字または色と同様な文字または色を前記表示手段に表示させる、請求項２１記載の位置依存情報表現制御装置。
【請求項２３】
前記制御手段は、前記位置依存情報表現手段の動作状況に応じて文字または色を点滅させて前記表示手段に表示させる、請求項１９、請求項２０、または請求項２２記載の位置依存情報表現制御装置。
【請求項２４】
前記制御手段は、前記位置依存情報表現手段が表現する情報データに応じて文字または色を点滅させて前記表示手段に表示させる、請求項１９、請求項２０、請求項２２、または請求項２３記載の位置依存情報表現制御装置。
【請求項２５】
前記制御手段は、前記表示手段の上に置かれることで評価点を指示するタンジブルデバイスから評価点を示す情報を受信して、受信した前記情報にもとづいて評価点を指定する、請求項１４から請求項２４のうちいずれか１項記載の位置依存情報表現制御装置。
【請求項２６】
前記情報取得手段または前記制御手段は、複数の位置依存情報表現手段にそれぞれ情報データを送信する、請求項１４から請求項２５のうちいずれか１項記載の位置依存情報表現制御装置。
【請求項２７】
位置に応じた情報を表現するための位置依存情報表現方法において、
制御手段が、評価者の指示に従って、指定された領域の地図またはレイアウト図を表示手段に表示させ、評価者の指示に従って、前記表示手段に表示させた前記地図またはレイアウト図の表示範囲内で、評価者によって指定された位置である評価点を指定する制御ステップと、
前記評価点の情報を示す情報データを取得する情報取得ステップと、
可視の通信媒体を介して前記制御手段と接続される位置依存情報表現手段が、前記情報データを表現する情報表現ステップと、を備え、
前記情報取得ステップで取得した情報データを前記位置依存情報表現手段に送信する、ことを特徴とする位置依存情報表現方法。
【請求項２８】
位置に応じた情報を表現するための位置依存情報表現方法において、
評価者の指示に従って、指定された領域の地図またはレイアウト図を表示手段に表示させ、評価者の指示に従って、前記表示手段に表示させた前記地図またはレイアウト図の表示範囲内で、評価者によって指定された位置である評価点を指定する制御ステップと、
位置依存情報表現手段が、他の位置依存情報表現手段と区別するための表現手段ＩＤを制御手段に送信する表現手段ＩＤ送信ステップと、
前記評価点の情報を示す情報データを取得する情報取得ステップと、
前記位置依存情報表現手段が、前記情報データを表現する情報表現ステップと、を備え、
前記情報取得ステップで、取得した情報データと、前記制御手段が受信した表現手段ＩＤとを前記位置依存情報表現手段に送信し、
前記情報表現ステップで、前記位置依存情報表現手段が、送信された表現手段ＩＤと自身の表現手段ＩＤとが合致する場合に、送信された前記情報データを表現する、ことを特徴とする位置依存情報表現方法。
【請求項２９】
位置に応じた情報を表現するための位置依存情報表現方法において、
評価者の指示に従って、指定された領域の地図またはレイアウト図を表示手段に表示させ、評価者の指示に従って、前記表示手段に表示させた前記地図またはレイアウト図の表示範囲内で、評価者によって指定された位置である評価点を指定する制御ステップと、
前記評価点の情報を示す情報データを取得する情報取得ステップと、
位置依存情報表現手段が、前記情報データを表現する情報表現ステップと、を備え、
前記制御ステップで、評価者の指示に従って、評価点を識別する評価点ＩＤを指定し、
前記情報取得ステップで、取得した情報データと前記制御ステップで指定した評価点ＩＤとを前記位置依存情報表現手段に送信し、
前記情報表現ステップで、評価者の指示に従って、他の位置依存情報表現手段と区別するための表現手段ＩＤを選択し、送信された評価点ＩＤと前記ＩＤ選択ステップで選択した表現手段ＩＤとが合致する場合に、送信された前記情報データを表現する、ことを特徴とする位置依存情報表現方法。
【国際調査報告】
2008066093.tif 000014
2008066093.tif 000015